(57)【要約】      （修正有）【課題】書籍の識別子を用いて書籍をプリントするためのシステムおよび方法を提供する。【解決手段】このシステムおよび方法によると、ユーザは、周辺装置に書籍の電子バージョンにアクセスさせる、書籍の識別子をこの周辺装置に入力する。そのアクセスにより、周辺装置は、指示された前記電子バージョンをプリントするように適合されている。その書籍の識別子としては、書籍のＩＳＢＮナンバーや、バーコードや、タイトルなどのようないくつかの適切な識別子が好ましい。【選択図】図１
2005278145.tif 000002
【特許請求の範囲】
【請求項１】
書籍の識別情報を表わすデータを受信するために適合された識別受信手段と、
前記受信された書籍の識別情報に対応し、選ばれた少なくとも１つの書籍を表わす、電子ファイルを検索するため適合された電子ファイル検索手段と、
その後プリントするための前記電子ファイルを作成するために適合されたプリントジョブ作成手段と、
前記要求されたプリントジョブの出力を表わすプリントリクエストデータを受信するために適合された出力手段と、
前記プリントリクエストと一致する前記電子ファイルのプリントオペレーションを開始するために手段と
を含む周辺装置を通して電子ファイルの印刷を実行するシステム。
【請求項２】
前記書籍の識別情報は、書籍ＩＳＢＮナンバーを含む請求項１のシステム。
【請求項３】
前記識別受信手段は、受信されたユーザ入力に適合されたユーザインターフェースを含んでいる請求項２のシステム。
【請求項４】
前記ユーザインターフェースは、前記書籍ＩＳＢＮナンバーを入力するためのキーパッドを含む請求項３のシステム。
【請求項５】
前記ユーザインターフェースは、前記書籍ＩＳＢＮナンバーを受信するために適合されたバーコードリーダを含む請求項３のシステム。
【請求項６】
請求項１のシステムは、前記書籍の指定されたページの少なくとも１つをプリントするためのユーザのリクエストを表わすデータを受信するために適合された手段をさらに含む。
【請求項７】
請求項１のシステムは、前記周辺装置が、前記電子ファイルを保存するために適合された保存手段と通信できるようにするため適合されたデータ通信手段をさらに含む。
【請求項８】
前記データ通信手段は、前記周辺装置と接続しているハードウエアを含む請求項７のシステム。
【請求項９】
前記データ通信手段は、Ｂｌｕｅ  Ｔｏｏｔｈ（登録商標）、ＩＥＥＥ８０２．１１（ｇ）およびＩＥＥＥ８０２．１１接続のうち少なくとも１つを含む無線接続を含む請求項７のシステム。
【請求項１０】
前記保存手段は、ローカル記憶装置およびリモート記憶装置のうち少なくとも１つを含む請求項７のシステム。
【請求項１１】
前記保存手段は、インターネットユーザインターフェースにより通信可能である請求項７のシステム。
【請求項１２】
書籍の識別情報を表わすデータを受信し、
前記受信した書籍の識別情報に対応し、選ばれた少なくとも１つの書籍を表わす電子ファイルを検索し、
プリントするための前記電子ファイルを用意することにより、プリントジョブを作成し、
前記要求されたプリントジョブの出力を表わすプリントリクエストデータを受信し、
前記プリントリクエストと一致する電子ファイルのプリントオペレーションを開始する
周辺装置を通じて電子ファイルの印刷を実行する方法。
【請求項１３】
前記書籍識別情報は、書籍ＩＳＢＮナンバーを含む請求項１２の方法。
【請求項１４】
請求項１３の方法は、ユーザインターフェースを介してユーザ入力を受信する工程をさらに含む。
【請求項１５】
請求項１４の方法は、前記ユーザインターフェースと関連付けられたキーパッドを通して、前記書籍ＩＳＢＮナンバーを入力する工程をさらに含む。
【請求項１６】
請求項１４の方法は、ユーザインターフェースと関連付けられたバーコードリーダを通して，前記書籍ＩＳＢＮナンバーを入力する工程をさらに含む。
【請求項１７】
請求項１２の方法は、前記書籍の指定されたページの少なくとも１つをプリントするためのユーザのリクエストを表わすデータを受信する工程をさらに含む。
【請求項１８】
請求項１２の方法は、データ通信装置を通して、保存手段と通信可能に接続されている周辺装置を、前期電子ファイルを保存するために適用させる工程をさらに含む。
【請求項１９】
前記データ通信装置は、周辺装置に接続されたハードウエアを含む請求項１８の方法。
【請求項２０】
前記データ通信装置は、Ｂｌｕｅ  Ｔｏｏｔｈ（登録商標）、ＩＥＥＥ８０２．１１（ｇ）およびＩＥＥＥ８０２．１１接続のうち少なくとも１つを含む無線接続を含む請求項１８の方法。
【請求項２１】
前記保存手段は、ローカル記憶装置およびリモート記憶装置のうち少なくとも１つを含む請求項１８の方法。
【請求項２２】
前記保存手段は、インターネットユーザインターフェースにより通信可能である請求項１８の方法。
【請求項２３】
書籍の識別情報を表わすデータを受信するために適合された識別受信手段と、
前記受信された書籍の識別情報に対応し、選ばれた少なくとも１つの書籍を表わす電子ファイルを検索するため適合された電子ファイル検索手段と、
その後プリントするための前記電子ファイルを作成するために適合されたプリントジョブ作成手段と、
前記要求されたプリントジョブの出力を表わすプリントリクエストデータを受信するために適合された出力手段と、
前記プリントリクエストと一致する前記電子ファイルのプリントオペレーションを開始するために手段と
を含む電子ファイルをプリントするための命令のコンピュータ可読媒体。
【請求項２４】
前記書籍の識別情報は、書籍ＩＳＢＮナンバーを含む請求項２３のコンピュータ可読媒体。
【請求項２５】
前記識別受信手段は、受信されたユーザ入力に適合されたユーザインターフェースを含んでいる請求項２４のコンピュータ可読媒体。
【請求項２６】
前記ユーザインターフェースは、前記書籍ＩＳＢＮナンバーを入力するためのキーパッドを含む請求項２５のコンピュータ可読媒体。
【請求項２７】
前記ユーザインターフェースは、前記書籍ＩＳＢＮナンバーを受信するために適合されたバーコードリーダを含む請求項２５のコンピュータ可読媒体。
【請求項２８】
請求項２３のシステムは、前記書籍の指定されたページの少なくとも１つをプリントするためのユーザのリクエストを表わすデータを受信するために適合された手段をさらに含む。
【請求項２９】
請求項２３のシステムは、前記周辺装置が、前記電子ファイルを保存するために適合された保存手段と通信できるようにするため適合されたデータ通信手段をさらに含む。
【請求項３０】
前記データ通信手段は、前記周辺装置と接続しているハードウエアを含む請求項２９のコンピュータ可読媒体。
【請求項３１】
前記データ通信手段は、Ｂｌｕｅ  Ｔｏｏｔｈ（登録商標）、ＩＥＥＥ８０２．１１（ｇ）およびＩＥＥＥ８０２．１１接続のうち少なくとも１つを含む無線接続を含む請求項２９のコンピュータ可読媒体。
【請求項３２】
前記保存手段は、ローカル記憶装置およびリモート記憶装置のうち少なくとも１つを含む請求項２９のコンピュータ可読媒体。
【請求項３３】
前記保存手段は、インターネットユーザインターフェースにより通信可能である請求項２９のコンピュータ可読媒体。
【請求項３４】
書籍の識別情報を表わすデータを受信し、
前記受信した書籍の識別情報に対応し、選ばれた少なくとも１つの書籍を表わす電子ファイルを検索し、
プリントするための前記電子ファイルを用意することにより、プリントジョブを作成し、
前記要求されたプリントジョブの出力を表わすプリントリクエストデータを受信し、
前記プリントリクエストと一致する電子ファイルのプリントオペレーションを開始する
電子ファイルを印刷するためのコンピュータ実行可能な方法。
【請求項３５】
前記書籍識別情報は、書籍ＩＳＢＮナンバーを含む請求項３４のコンピュータ実行可能な方法。
【請求項３６】
請求項３５のコンピュータ実行可能な方法は、ユーザインターフェースを介してユーザ入力を受信する工程をさらに含む。
【請求項３７】
請求項３６のコンピュータ実行可能な方法は、前記ユーザインターフェースと関連付けられたキーパッドを通して、前記書籍ＩＳＢＮナンバーを入力する工程をさらに含む。
【請求項３８】
請求項３６のコンピュータ実行可能な方法は、ユーザインターフェースと関連付けられたバーコードリーダを通して，前記書籍ＩＳＢＮナンバーを入力する工程をさらに含む。
【請求項３９】
請求項３４のコンピュータ実行可能な方法は、前記書籍の指定されたページの少なくとも１つをプリントするためのユーザのリクエストを表わすデータを受信する工程をさらに含む。
【請求項４０】
請求項３４のコンピュータ実行可能な方法は、データ通信装置を通して、保存手段と通信可能に接続されている周辺装置を、前期電子ファイルを保存するために適用させる工程をさらに含む。
【請求項４１】
前記データ通信装置は、周辺装置に接続されたハードウエアを含む請求項４０のコンピュータ実行可能な方法。
【請求項４２】
前記データ通信装置は、Ｂｌｕｅ  Ｔｏｏｔｈ（登録商標）、ＩＥＥＥ８０２．１１（ｇ）およびＩＥＥＥ８０２．１１接続のうち少なくとも１つを含む無線接続を含む請求項４０のコンピュータ実行可能な方法。
【請求項４３】
前記保存手段は、ローカル記憶装置およびリモート記憶装置のうち少なくとも１つを含む請求項４０のコンピュータ実行可能な方法。
【請求項４４】
前記保存手段は、インターネットユーザインターフェースにより通信可能である請求項４０のコンピュータ実行可能な方法。
【発明の詳細な説明】
【技術分野】
【０００１】
本発明は、プリントシステムおよび方法に関し、特に、本発明は、書籍の識別子を用いて書籍をプリントするためのシステムおよび方法に関する。
【背景技術】
【０００２】
書籍および他の学術論文的な刊行物は、しばしば、複写機でコピーされる。現在通用している書籍をコピーする方法は、時間的な制約が厳しく（ｔｉｍｅ  ｉｎｔｅｎｓｉｖｅ）、面倒で、効率が悪い。ユーザは、最初に、書籍の希望するページを開き、逆さまにして裏返し、コピー機の表面にそのページを配置して、その後コピーする。もし、書籍のページのコピーを一枚以上希望するならば、この全ての工程を、全てのページのコピーが完了するまで繰り返さなければならない。もし、多量のページのコピーが希望されたならば、その工程が完了するまでには、膨大な時間が必要となるであろう。このため、書籍や他の学術論文的な刊行物をより効率よく、簡単にコピーするためのシステムおよび方法が切望されている。
【０００３】
書籍および他の学術論文的な刊行物は、だいたい、識別情報を含んでいる。例えば、書籍はだいたいタイトルと関連づけられた著者を有する。もし、そのタイトルと著者のどちらか一方、あるいは両方の情報を知っているならば、各々の書籍は電子的に（例えば、データベースで）あるいは物理的に（例えば、図書館で）検索されることが可能である。書籍は、通常、ＩＳＢＮ（国際標準図書番号  Ｉｎｔｅｒｎａｔｉｏｎａｌ  Ｓｔａｎｄａｒｄ  Ｂｏｏｋ  Ｎｕｍｂｅｒ）のような付加的な識別情報を有している。このＩＳＢＮは、書籍を検索する際、まさにそのタイトルおよび著者の情報として使用されることが可能である。実際、ＩＳＢＮは、しばしば、他のタイトルおよび著者名を混同する可能性のあるものとして、上位の、書籍の検索での識別と考えられている。ＩＳＢＮは、番号として、あるいはバーコードにより符号化された情報として、もしくは両方を含むものとして提供されることが可能である。
【発明の開示】
【発明が解決しようとする課題】
【０００４】
書籍および他の学術論文的な刊行物は、しばしば、複写機でコピーされる。現在通用している書籍をコピーする方法は、時間的な制約が厳しく（ｔｉｍｅ  ｉｎｔｅｎｓｉｖｅ）、面倒で、効率が悪い。
【課題を解決するための手段】
【０００５】
本発明によると、書籍の識別子を用いて書籍をプリントするためのシステムおよび方法が提供されている。このシステムおよび方法は、書籍および他の研究論文簡単に、さらに効率よくコピーするために切望されている。
【０００６】
一方からの見地によると、本発明はシステムを教示し、このシステムは、電子ファイルをプリントするため、周辺装置を通して実行される。このシステムは、書籍の識別情報を表わすデータを受信するために適合された識別受信手段と、前記受信された書籍の識別情報に対応し、選ばれた少なくとも１つの書籍を表わす、電子ファイルを検索するため適合された電子ファイル検索手段と、その後プリントするための前記電子ファイルを作成するために適合されたプリントジョブ作成手段と、前記要求されたプリントジョブの出力を表わすプリントリクエストデータを受信するために適合された出力手段と、前記プリントリクエストと一致する前記電子ファイルのプリントオペレーションを開始するために手段とを含む。
【０００７】
他方からの見地によると、本発明は方法を教示し、この方法は、電子ファイルをプリントするため、周辺装置を通して実行される。この方法は、書籍の識別情報を表わすデータを受信し、前記受信した書籍の識別情報に対応し、選ばれた少なくとも１つの書籍を表わす電子ファイルを検索し、プリントするための前記電子ファイルを用意することにより、プリントジョブを作成し、前記要求されたプリントジョブの出力を表わすプリントリクエストデータを受信し、前記プリントリクエストと一致する電子ファイルのプリントオペレーションを開始する。
【０００８】
本発明に関する、これらの他の見地、長所（ｄｃａｎｔａｇｅｓ）および機能（ｆｅａｔｕｒｅ）は、通常の技術を有する者（当業者）が、この明細書を読み理解した技術範囲において、理解される。
【発明を実施するための最良の形態】
【０００９】
本発明は、従来の書籍コピーシステムおよび方法の非効率を克服するための書籍をコピーするためのシステムおよび方法である。能率的なコピーシステムは、書籍の電子的な変形（ｅｌｅｃｔｒｏｎｉｃ  ｖｅｒｓｉｏｎ：電子バージョン）を呼び出し、それを利用して、書籍の複写物を印刷する周辺装置を採用することによって達成される。実際に書籍のコピーを作成する際、ユーザは、その書籍の識別子を入力し、周辺装置は、書籍の電子的なバージョンを呼び出し、指定された通りに書籍をコピーする。従って、ユーザは、手作業により書籍のページをそのコピー面に配置する必要がなく、それぞれ所望のページをコピーする工程を繰り返し、コピーする。このシステムおよび方法は、だいたい、周辺装置において実施される。その周辺装置は、コピー機、プリンター、多機能周辺装置などのような、適切な多くの装置のいずれであってもよく、他の装置と相互に接続され、あるいはネットワークと接続された、スタンドアローン（ｓｔａｎｄ−ａｌｏｎｅ  ｄｅｖｉｃｅ）の装置も適用可能である。
【００１０】
本発明の実施の形態の一例によると、ユーザは最初に、コピーされる書籍の識別子を周辺装置に入力する。この書籍の識別子は、書籍のＩＳＢＮ（国際標準図書番号  Ｉｎｔｅｒｎａｔｉｏｎａｌ  Ｓｔａｎｄａｒｄ  Ｂｏｏｋ  Ｎｕｍｂｅｒ）や、書籍のタイトル、書籍のバーコードなどのような、その書籍を明確に識別するために適した任意の識別子である。その識別子は、周辺装置と関連付けられたキーボードおよびスクリーンのような（ｓｃｒｅｅｎ−ｌｉｋｅ）コントロールパネル、その周辺装置と関連付けられたタッチパッド式のスクリーンのような（ｓｃｒｅｅｎ−ｌｉｋｅ）コントロールパネル、その周辺装置と関連付けられたキーボードもしくはキーパッドなど、あるいは任意の適切な手段、によって周辺装置に入力される。その識別子の入力手段は、ネットワーク、インターネットでアクセス可能なウエブページ、あるいは、周辺装置と通信可能な状態にあるユーザインターフェースなどを介して周辺装置と接続されるコンピュータのような周辺装置と直接的に関連付けられている必要はない。さらに、その識別子の入力手段は、書籍の外側表面にたいてい配置されているバーコードによって符号化されている書籍の識別情報を、電子的に適切に収集および入力するために適合されたバーコードリーダを適切に含んでいる。
【００１１】
書籍の識別子の入力において、周辺装置は、識別される書籍の電子バージョンにアクセスする。本発明では、ＰＤＦファイル（登録商標）、Ｍｉｃｒｏｓｏｆｔ  Ｗｏｒｄファイル（登録商標）などの書籍の電子バージョンが、記憶装置にアクセス可能で、かつ記憶されることが有り得る。さらに、本発明では、ローカル記憶装置（ｌｏｃａｌ  ｓｔｏｒａｇｅ  ｄｅｖｉｃｅ）、リモート記憶装置（ｒｅｍｏｔｅ  ｓｔｏｒａｇｅ  ｄｅｖｉｃｅ）およびインターネットに接続可能な記憶装置などのような、少なくとも３タイプの記憶装置が適用されることが有り得る。一般に、記憶装置は、ハードディスクドライバ、ＲＡＭ、ＲＯＭ、移動可能なディスクドライバ（ｒｅｍｏｖａｂｌｅ  ｄｉｓｋ  ｄｒｉｖｅ）、ＵＳＢ−ＤＳＤ（ユニバーサルシリアルバス−データ記憶装置  Ｕｎｉｖｅｒｓａｌ  Ｓｅｒｉａｌ  Ｂｕｓ  Ｄａｔａ  Ｓｔｒａｇｅ  Ｄｅｖｉｃｅ）などのような、書籍の電子バージョンを保管するために適した適切な任意の装置がある。ローカル記憶装置には、周辺装置と一般的なデータ通信可能な状態で、あるいは直接接続され、もしくは内蔵されているいずれかの装置（ａｎｙ  ｄｅｖｉｃｅ  ｃｏｎｔａｉｎｅｄ  ｗｉｔｈｉｎ）が適用される。リモート記憶装置は、コンピュータ、サーバなどのような、ネットワークあるいは他の適切な手段により周辺装置と接続されている周辺装置から遠くに配置されている任意の記憶装置が好ましい。インターネット接続可能な記憶装置は、周辺装置とアクセス可能な任意の適当なワールドワイドウェブ（Ｗｏｒｌｄ  Ｗｉｄｅ  Ｗｅｂ）ページが好ましい。周辺装置は、ネットワーク、インターネットあるいは無線通信（例えば、Ｂｌｕｅ  Ｔｏｏｔｈ（登録商標）、ＩＲ（ａｎ  ｉｎｆｒａｒｅｄ  （ＩＲ）  ｗｉｒｅｌｅｓｓ  ＬＡＮ；赤外線（赤外線ポート）を利用した無線式のローカルエリアネットワーク，赤外線データ協会），８０２．１１−ｔｙｐｅ  ｓｙｓｔｅｍ（ＩＥＥＥ８０２．１１−ｔｙｐｅ  ｓｙｓｔｅｍ）など）を介した、標準ポート通信（ｓｔａｎｄａｒｄ  ｐｏｒｔ  ｃｏｍｍｕｎｉｃａｔｉｏｎ）のような、任意の適切な通信手段によって、いくつかの、全部の、一部の、あるいは追加の記憶装置と、データ通信状態であることが好ましい。さらに、他の実施の形態に応じて、書籍の電子バージョンは、フロッピーディスク（登録商標）、ＣＤ−ＲＯＭ、ＵＳＢ−ＤＳＤなどを通して、ユーザにより周辺装置に有利に提供される。
【００１２】
一度、周辺装置が書籍の電子バージョンを呼び出すと、その書籍のハードコピー（ｈａｒｄ  ｃｏｐｉｅｓ）のプリントが実行可能な状態となる。ユーザには、ユーザに指定されたあるページだけ、あるいはその書籍の全てのプリント、としてのオプションを適切に提供される。また、ユーザは、印刷のフォーマットをコントロールするプリント設定を設定あるいは変更する機会が有益に提供されている。ユーザがそのページとその設定に満足すると、そのページが明示されたとして、プリントされる。
【００１３】
周辺装置は、電子ファイルを呼び出すためのコンピュータ可読の命令の設定を適宜含んでいる。そのような命令は、周辺装置が、まず初めに、要求された電子ファイルをローカル記憶装置（ｌｏｃａｌ  ｓｔｏｒａｇｅ  ｄｅｖｉｃｅ）から検索するよう、命じる。そのローカル記憶装置がその電子ファイルを含んでいない場合、その命令は、継いで、リモート記憶装置（ｒｅｍｏｔｅ  ｓｔｏｒａｇｅ  ｄｅｖｉｃｅ）を検索するように、周辺装置に適宜命じる。もし、リモート記憶装置が電子ファイルを含んでいない場合、その命令は、さらに、インターネット接続可能なウエブページあるいはユーザインターフェースを検索するように、周辺装置に適宜命じる。このインターネット検索と関連して、周辺装置は、特定のインターネットＵＲＬ（Ｕｎｉｆｏｒｍ  Ｒｅｓｏｕｒｃｅ  Ｌｏｃａｔｏｒ）にアクセスした時点で、要求された電子ファイルが記録されたウエブページを維持するか、あるいは、要求された電子ファイルを探し出すインターネット検索エンジンにアクセスするための命令を適宜含んでいる。そのインターネットの命令は、さらに、特定のインターネットＵＲＬに最初にアクセスするための命令の連続的な設定（ａ  ｓｅｑｕｅｎｔｉａｌ  ｓｅｔ  ｏｆ  ｉｎｓｔｒｕｃｔｉｏｎｓ  ｆｏｒ  ｆｉｒｓｔ  ａｃｃｅｓｓｉｎｇ  ａ  ｓｐｅｃｉｆｉｃ  Ｉｎｔｅｒｎｅｔ  ＵＲＬ）を有益に含み、この時点で、特定のＵＲＬが電子ファイルを含んでいない場合は、インターネット検索エンジンにアクセスする。
【００１４】
本発明を実施するための方法の一例について、ここに論じる。以下に示すことは単なる例示であって、本発明は、その分野の通常の技術を有するものよって十分理解される適切な方法によって、実行されることができる。図１を参照すると、ユーザが、書籍のコピー工程において、周辺装置にアクセスしようとするとき、適切に直面するための周辺装置ユーザインターフェース１００の一例が示されている。このインターファース１００は、その周辺装置に関連して先に述べた方法のいくつかが有益に提供されている。そのインターフェースは、ユーザにスキャンオプション（ｏｐｔｉｏｎ）１０４、プリントオプション（ｏｐｔｉｏｎ）１０６、ビュープリントオプション（ｖｉｅｗ  ｐｒｉｎｔ  ｏｐｔｉｏｎ）１０８、管理者側のツールオプション（ｏｐｔｉｏｎ）１１０、ヘルプオプション（ｏｐｔｉｏｎ）１１２などのような、操作上のオプション（ｏｐｔｉｏｎ）を少なくとも１つ提供する。この例によると、ユーザははじめ書籍コピーオプションであるユーザインターフェース１００にあるプリントドキュメントオプション１０６を動作（ａｃｔｉｖａｔｅ）する。
【００１５】
プリントドキュメントオプション１０６が選択されると、コピーユーザインターフェース２００が表示される（図２）。コピーユーザインターフェース２００は、印刷される項目の元々の位置（ソースロケーション：ｓｏｕｒｃｅ  ｌｏｃａｔｉｏｎ）を入力するためのオプションを少なくとも１つ提供している。そのようなオプションは、書籍オプション２０４、ローカルあるいはネットワークフォルダオプション（Ｌｏｃａｌ  ｏｒ  Ｎｅｔｗｏｒｋ  Ｆｏｌｄｅｒ）２０６、あるいは、トップアクセスコンポーザ保管所（ＴｏｐＡｃｃｅｓｓ  Ｃｏｍｐｏｓｅｒ  ｒｅｐｏｓｉｔｏｒｙ）のような、他のドキュメント記憶の保管所２０８を適宜、含んでいる。そのコピーユーザインターフェースもまた、ヘルプオプション２１０、“戻る”ボタンのような、最初に図示したユーザインターフェース１０２に戻るためのオプション２１２、および、“キャンセル”ボタンのような、装置の動作を取り消すためのオプション２１４を、有益に含んでいる。書籍のＩＳＢＮナンバーを使用して書籍の少なくとも一部分をプリントするために、ユーザは、書籍オプション２０４を選択する。この書籍オプション２０４は、その書籍の識別子を読み取るようなバーコードリーダを許可するような他の書籍識別手段に、対応するような修正が適応され得ると理解される。
【００１６】
書籍オプション２０４が選択されると、ＩＳＢＮ入力ユーザインターフェース３００が表示される（図３）。このＩＳＢＮユーザインターフェース３００は、書籍のＩＳＢＮナンバーを入力するためのキーパッド３０８を適宜、含んでいる。ＩＳＢＮナンバーが入力されているときは、入力されたナンバーが正確であることを確認するため、ウインドウ３０６に適宜表示される。“クリア”ボタン３１０は、入力されたＩＳＢＮナンバーを消去し、ユーザが正しい番号を再入力できるように、与えられている。表示されているＩＳＢＮナンバーと要求されているＩＳＢＮナンバーとが一致してユーザの要求が満たされると、ユーザは、“次へ”ボタン３１６を選択する。
【００１７】
“次へ”ボタン３１６が選択されると、電子バージョンアクセスユーザインターフェース４００（図４）は、対象の書籍のＩＳＢＮナンバーに対応する電子ファイルにアクセス中である周辺装置の活動状態を表示させる。そのユーザインターフェース４００は、アクセス中のＩＳＢＮナンバー４０４およびアクセスの状態４０６のような情報、を適宜表示する。インターフェース４０２は、さらに“キャンセル”ボタン４０８を適宜含んでいる。この電子バージョンアクセスユーザインターフェース４００は、要求された電子バージョンが保管されている位置に関連するユーザの入力を受け入れるよう適合されたユーザインターフェースが、適宜、優先される（ｐｒｅｃｅｄｅｄ）。
【００１８】
周辺装置に電子ファイルが位置されると、電子ファイルのダウンロードを開始する。ダウンロードが正常になされると、プリント設定ユーザインターフェース５００（図５）は、ダウンロードされた電子ファイルが要求された書籍と一致していることをユーザが確認できるように必要であるそのような情報の表示を開始する（ｉｎｉｔｉａｔｅ）。そのような情報は、書籍のタイトル５０６、書籍のカバーの画像５０４、出版社、ＩＳＢＮなどのようなその他書籍に関する情報５０８を、適宜含んでいる。
【００１９】
プリント設定ユーザインターフェース５００は、また、プリント設定情報５１０および、プリント設定情報５１０を変更するためのオプション５１８（例えば、“編集”ボタン）を、適宜含んでいる。プリント設定情報５１０は、ペーバーサイズ、向き、コピー枚数などのような情報５１２を、適宜含んでいる。さらに、プリント設定情報５１０は、プリントされる書籍のページ５１４を、適宜含んでいる。プリントされるページ５１４は、編集オプション５１８において有益に編集されることができる機能である。例えば、ユーザがある書籍のページ１０〜２０だけをプリントしたい場合、ユーザは、編集オプション５１８を通してダウンロードされた書籍のページ１０〜２０だけがプリントされるということを指示することができる。ユーザインターフェース５００は、さらに、選択されたページを印刷するために推定される時間に関連付けられた情報５１６を、適宜提供する。一度、ユーザが、プリント設定５１０に満足し、ダウンロードされた書籍が正しいことを確認すると、ユーザは、“プリントブック”ボタン５２４を選択する等により、選択された項目を印刷するよう周辺装置に指示する。
【００２０】
ユーザが周辺装置にプリントを指示すると、プリントジョブ状態ユーザインターフェース６００（図６）が、書籍がプリンターに送信されたか否か６０４、書籍のタイトル６０６、書籍のＩＳＢＮナンバー６０８のような、状態情報を、適宜表示する。
【００２１】
ＩＳＢＮナンバーの入力に関する先の記述は、単なる具体例であって、対象となる書籍を識別するための他の手段も考察される。例えば、ユーザは、書籍のタイトルを適宜入力する。さらに、周辺装置は、ユーザからの書籍の識別子と関連付けられた限られた情報に合わせて、入力情報に基づき予想される関連付けられた書籍のリストを生成し、その後、ユーザが要求されたタイトルを適宜選択する。
【００２２】
複数の図式のユーザインターフェースに関する先の記述は、単なる実例、および具体例の方法によるものであると認識されている。その書籍の識別子の入力の必須の工程、書籍と一致する電子ファイルをダウンロードし、書籍の少なくとも一部分を印刷すること、これは、いくつかの実行性のある手段により適切に実行され、上述の図式のユーザインターフェース、それの一部、あるいは、その他の図式のユーザインターフェースを含んでいる。さらに、図式のユーザインターフェースは、適宜、使用される必要がなく、周辺装置は、単に、ＩＳＢＮナンバーを入力するためのキーパッド、およびアクセスするための自動機能だけを含み、関係付けられた電子ファイルをダウンロードし、プリントする。
【００２３】
より好ましい実施の形態は詳細に記載されているが、この様々な変形例、置き換え、部分的変更も、添付されている請求項の範囲によって規定されているものとして、本発明の意図（  ｓｐｉｒｉｔ  ）および範囲から外れない範囲内で、適用され得ると解されるべきである。本発明の本質を説明するため、ここに図を用いて例証した様々な変形、詳細には構成要件の材料や配置の様々な変形は、添付した特許請求の範囲に表現されているとして、本発明の原理および範囲にある技術に精通されたものによってなされることが可能である。
【図面の簡単な説明】
【００２４】
明細書の一部を構成し、そこに組み込まれた添付した図面は、本発明のいくつかの側面を例証し、その説明と共に、本発明の原理を説明することに役立つ。
【図１】図１は、本発明の周辺装置ユーザインターフェースの一例の表示である。
【図２】図２は、コピーユーザインダーフェースの一例の表示である。
【図３】図３は、ＩＳＢＮ入力ユーザインダーフェースの一例の表示である。
【図４】図４は、電子的な書籍アクセスユーザインダーフェースの一例の表示である。
【図５】図５は、プリント設定ユーザインダーフェースの一例の表示である。
【図６】図６は、プリントジョブ状態ユーザインダーフェースの一例の表示である。
【図１】
2005278145.tif 000003
【図２】
2005278145.tif 000004
【図３】
2005278145.tif 000005
【図４】
2005278145.tif 000006
【図５】
2005278145.tif 000007
【図６】
2005278145.tif 000008
【外国語明細書】
2005278145000001.pdf